(57)【要約】【構成】画像蓄積サーバ１２は、ＷＥＢカメラＣ１またはＣ２から送信された複数フレームの圧縮画像信号を画像ファイルに循環的に記録する。端末装置１４から時刻情報要求を受信すると、画像蓄積サーバ１２は、画像ファイルに存在する圧縮画像信号の先頭時刻および末尾時刻を検出し、検出した先頭時刻および末尾時刻を端末装置１４に返送する。端末装置１４のディスプレイには、返送された先頭時刻および末尾時刻が表示される。先頭時刻および末尾時刻によって挟まれる任意の検索時刻を含む画像検索要求を端末装置１４から受信すると、画像蓄積サーバ１２は、検索時刻に関連する圧縮画像信号を画像ファイルから検出し、検出した圧縮画像信号を端末装置１４に返送する。端末装置１４のディスプレイには、返送された圧縮画像信号に基づく画像が表示される。【効果】画像検索時の操作性が向上する。【選択図】　図１
2004088284.tif 000002
【特許請求の範囲】
【請求項１】
コンテンツを記録媒体に循環的に記録する記録手段、
前記記録媒体に存在するコンテンツの先頭部分の第１取り込み時刻を出力する第１出力手段、
前記第１出力手段によって出力された第１取り込み時刻以降の時刻を受け付ける時刻受付手段、および
前記時刻受付手段によって受け付けた受付時刻に関連するコンテンツを前記記録媒体から再生する再生手段を備える、コンテンツ記録再生装置。
【請求項２】
前記時刻受付手段は前記記録手段の記録動作に並行して時刻受付を行い、
前記再生手段は前記記録手段の記録動作に並行して再生を行い、
前記第１出力手段は、前記第１取り込み時刻を繰り返し検出する時刻検出手段、および前記時刻検出手段によって検出された第１取り込み時刻を出力する時刻出力手段を含む、請求項１記載のコンテンツ記録再生装置。
【請求項３】
前記コンテンツは複数画面の静止画像信号からなる動画像信号であり、
前記記録手段は、各々の静止画像信号を前記記録媒体に形成された第１ファイルに循環的に記録する第１記録手段、および各々の静止画像信号の取り込み時刻を含む管理情報を前記記録媒体に形成された第２ファイルに循環的に記録する第２記録手段を含み、
前記第１出力手段は、前記第１ファイルに存在する最古の静止画像信号の取り込み時刻を前記第２ファイルから検出する時刻検出手段、および前記時刻検出手段によって検出された取り込み時刻を前記第１取り込み時刻として出力する時刻出力手段を含む、請求項１記載のコンテンツ記録再生装置。
【請求項４】
循環的記録によって少なくとも一部が消失した静止画像信号に対応する管理情報が前記第２ファイルに存在するとき当該管理情報を無効とする無効手段をさらに備え、
前記最古の静止画像信号は有効な最古の管理情報に対応する静止画像信号である、請求項３記載のコンテンツ記録再生装置。
【請求項５】
各々の静止画像信号のサイズは可変であり、前記第１ファイルのサイズは固定である、請求項３または４記載のコンテンツ記録再生装置。
【請求項６】
所望の再生モードを受け付けるモード受付手段をさらに備え、
前記再生手段は前記受付時刻を基準として前記所望の再生モードに従う再生を行う、請求項３ないし５のいずれかに記載のコンテンツ記録再生装置。
【請求項７】
前記再生手段は、前記所望の再生モードが動画像モードのとき前記受付時刻を基準として前記動画像信号を再生する動画像再生手段を含む、請求項６記載のコンテンツ記録再生装置。
【請求項８】
前記再生手段は、前記所望の再生モードが静止画像モードのとき前記受付時刻に対応する静止画像信号を再生する静止画像再生手段を含む、請求項６または７記載のコンテンツ記録再生装置。
【請求項９】
コマ送り再生を受け付ける受付手段をさらに備え、
前記再生手段は、前記静止画像モードが選択された状態で前記コマ送り再生を受け付けたとき現画面に続く画面の静止画像信号を再生するコマ送り再生手段をさらに含む、請求項８記載のコンテンツ記録再生装置。
【請求項１０】
前記記録媒体に存在するコンテンツの末尾部分の第２取り込み時刻を出力する第２出力手段をさらに備え、
前記時刻受付手段によって受け付ける時刻は前記第２出力手段によって出力された第２取り込み時刻以前の時刻である、請求項１ないし９のいずれかに記載のコンテンツ記録再生装置。
【請求項１１】
前記複数のコンテンツを並行して取り込む取り込み手段をさらに備え、
前記記録手段は前記複数のコンテンツの各々を循環的に前記記録媒体に記録する、請求項１ないし１０のいずれかに記載のコンテンツ記録再生装置。
【請求項１２】
請求項１ないし１１のいずれかに記載のコンテンツ記録再生装置を備える、監視カメラシステム。
【発明の詳細な説明】
【０００１】
【発明の属する技術分野】
この発明は、コンテンツ記録再生装置に関し、特にたとえば監視カメラシステムに適用され、コンテンツを記録媒体に記録し、記録動作に並行して記録媒体からコンテンツを再生する、コンテンツ記録再生装置に関する。
【０００２】
【従来技術】
従来のこの種のコンテンツ記録再生装置としては、記録媒体の容量に限界があることを考慮して、記録媒体が満杯となった後に取り込まれたコンテンツを記録済みのコンテンツに上書きするものがあった。
【０００３】
【発明が解決しようとする課題】
しかし、後続のコンテンツによって記録済みのコンテンツを上書きすると、どの時刻以降のコンテンツが記録媒体に残存しているか分からず、コンテンツを検索するときに操作性が低下するという問題があった。
【０００４】
それゆえに、この発明の主たる目的は、操作性を向上させることができる、コンテンツ記録再生装置を提供することである。
【０００５】
【課題を解決するための手段】
この発明は、コンテンツを記録媒体に循環的に記録する記録手段、記録媒体に存在するコンテンツの先頭部分の第１取り込み時刻を出力する第１出力手段、第１出力手段によって出力された第１取り込み時刻以降の時刻を受け付ける時刻受付手段、および時刻受付手段によって受け付けた時刻に関連するコンテンツを記録媒体から再生する再生手段を備える、コンテンツ記録再生装置である。
【０００６】
【作用】
コンテンツは記録手段によって記録媒体に循環的に記録され、記録媒体に存在するコンテンツの先頭部分の第１取り込み時刻は第１出力手段によって出力される。出力された第１取り込み時刻以降の時刻が時刻受付手段によって受け付けられると、受け付けた時刻に関連するコンテンツが再生手段によって記録媒体から再生される。
【０００７】
第１取り込み時刻を出力することで、検索できるコンテンツの取り込み時間帯の把握が容易になり、検索時の操作性が向上する。
【０００８】
好ましくは、時刻受付手段は記録手段の記録動作に並行して時刻受付を行い、再生手段は記録手段の記録動作に並行して再生を行う。このとき、第１出力手段は、第１取り込み時刻を繰り返し検出し、検出された第１取り込み時刻を出力する。第１取り込み時刻は記録動作とともに変化するため、第１取り込み時刻を繰り返し検出することで、常に最新の第１取り込み時刻を把握することができる。
【０００９】
好ましくは、コンテンツは複数画面の静止画像信号からなる動画像信号である。記録手段は、各々の静止画像信号を記録媒体に形成された第１ファイルに循環的に記録し、各々の静止画像信号の取り込み時刻を含む管理情報を記録媒体に形成された第２ファイルに循環的に記録する。第１出力手段は、第１ファイルに存在する最古の静止画像信号の取り込み時刻を第２ファイルから検出し、検出された取り込み時刻を第１取り込み時刻として出力する。
【００１０】
これによって、第１ファイルに存在する動画像信号の先頭部分の取り込み時刻を容易に把握することができる。
【００１１】
さらに好ましくは、循環的記録によって少なくとも一部が消失した静止画像信号の管理情報が第２ファイルに存在するとき、当該管理情報が無効手段によって無効とされる。この場合、最古の静止画像信号は、有効な最古の管理情報に対応する静止画像信号である。
【００１２】
これによって、各々の静止画像信号のサイズが可変であるために、第１ファイルに存在する静止画像信号と第２ファイルに存在する管理情報との対応関係が崩れたときでも、出力される第１取り込み時刻に誤りが生じることはない。
【００１３】
なお、サイズが可変の静止画像信号をサイズが固定の第１ファイルに記録する場合に、かかる効果が顕著となる。
【００１４】
モード受付手段によって所望の再生モードを受け付ける場合、再生手段は、受付時刻を基準として所望の再生モードに従う再生を行う。
【００１５】
たとえば、所望の再生モードが動画像モードのときは、受付時刻を基準として動画像信号が再生される。また、所望の再生モードが静止画像モードのときは、受付時刻に対応する静止画像信号が再生される。静止画像モードが選択された状態でコマ送り再生を受け付けたときは、現画面に続く画面の静止画像信号が再生される。
【００１６】
このような再生モードに従う再生を可能とすることで、操作性がさらに向上する。
【００１７】
記録媒体に存在するコンテンツの末尾部分の第２取り込み時刻を出力する場合、時刻受付手段によって受け付ける時刻は当該第２取り込み時刻以前の時刻である。
【００１８】
複数のコンテンツを並行して取り込む場合、記録手段は、取り込まれた複数のコンテンツの各々を循環的に記録媒体に記録する。これによって、コンテンツ毎に第１取り込み時刻が出力される。
【００１９】
【発明の効果】
この発明によれば、第１取り込み時刻を出力するようにしたため、検索できるコンテンツの取り込み時間帯の把握が容易になり、検索時の操作性を向上させることができる。
【００２０】
この発明の上述の目的，その他の目的，特徴および利点は、図面を参照して行う以下の実施例の詳細な説明から一層明らかとなろう。
【００２１】
【実施例】
図１を参照して、この実施例の監視カメラシステム１０は、２台のＷＥＢカメラＣ１およびＣ２とサーバ１２と複数の端末装置１４，１４，…とによって形成される。このうち、ＷＥＢカメラＣ１およびＣ２と画像蓄積サーバ１２とはインターネット１６を介して接続され、サーバ１２と端末装置１４，１４，…とはイントラネット１８を介して接続される。
【００２２】
ＷＥＢカメラＣ１およびＣ２の各々は、被写体を所望のフレームレートで撮影し、撮影された各フレームの画像信号をＪＰＥＧ２０００方式で圧縮し、そして各々が１フレーム分の圧縮画像信号と当該圧縮画像信号を管理するヘッダ情報とを含む複数の画像ファイルを作成する。ここで、ヘッダ情報には、画像ファイル名，カメラＩＤ，圧縮画像信号のサイズ，被写体の撮影時刻（取り込み時刻）などが含まれる。撮影時刻は、ミリ秒単位まで表現される。作成された複数の画像ファイルは、インターネット１６を通して画像蓄積サーバ１２に出力される。
【００２３】
画像蓄積サーバ１２は、図２に示すように構成される。画像ファイルは、ＮＩＣ（Ｎｅｔｗｏｒｋ　Ｉｎｔｅｒｆａｃｅ　Ｃａｒｄ）１２ａを通して取り込まれ、ＲＡＭ１２ｄに一時的に格納される。ＣＰＵ１２ｆは、ＲＡＭ１２ｄに格納された画像ファイルからヘッダ情報および圧縮画像信号を抽出し、圧縮画像信号をＨＤＤ１２ｂに与えるとともに、ヘッダ情報に基づいて作成した画像管理情報をＨＤＤ１２ｃに与える。画像管理情報には、ヘッダ情報から抽出された画像ファイル名，サイズおよび撮影時刻のほかに、対応する圧縮画像信号の書き込み開始アドレスが含まれる。
【００２４】
ＨＤＤ１２ｂは、ＷＥＢカメラＣ１から与えられた圧縮画像信号をディスクＤ１に形成された画像ファイルＩＭ１に記録し、ＷＥＢカメラＣ２から与えられた圧縮画像信号をディスクＤ１に形成された画像ファイルＩＭ２に記録する。ＨＤＤ１２ｃは、ＷＥＢカメラＣ１から与えられた圧縮画像信号の画像管理情報をディスクＤ２に形成された管理情報ファイルＭＧ１に記録し、ＷＥＢカメラＣ２から与えられた圧縮画像信号の画像管理情報をディスクＤ２に形成された管理情報ファイルＭＧ２に記録する。
【００２５】
管理情報ファイルＭＧ１への画像管理情報の書き込み動作、および画像ファイルＩＭ１への圧縮画像信号の書き込み動作を、図４（Ａ）〜図４（Ｃ）および図５（Ａ）〜図５（Ｂ）を参照して説明する。なお、管理情報ファイルＭＧ２および画像ファイルＩＭ２への書き込み動作は、管理情報ファイルＭＧ１および画像ファイルＩＭ１への書き込み動作と同様である。
【００２６】
圧縮画像信号のサイズは被写体および圧縮率によって変動する一方、画像ファイルＩＭ１の最大サイズは固定とされる。このため、図４（Ａ）によれば、Ｎフレームの圧縮画像信号が画像ファイルＩＭ１に格納された時点で、画像ファイルＩＭ１が満杯となる。すると、Ｎ＋１フレーム目の圧縮画像信号は、図４（Ｂ）に示すように画像ファイルＩＭ１の先頭から書き込まれる。つまり、Ｎ＋１フレーム目の圧縮画像信号が書き込まれる時点で、画像ファイルＩＭ１はリングファイルとなる。
【００２７】
画像管理情報のサイズは固定である一方、管理情報ファイルＭＧ１の最大サイズは画像ファイルＩＭ１に格納された圧縮画像信号のフレーム数に応じて変動する。図４（Ａ）および図４（Ｂ）によれば、Ｎ＋１フレーム目の圧縮画像信号は、画像ファイルＩＭ１の先頭から書き込まれる。このため、管理情報ファイルＭＧ１においても、Ｎ＋１フレーム目の画像管理情報は先頭から書き込まれる。つまり、Ｎ＋１フレーム目の画像管理情報が書き込まれる時点で、管理情報ファイルＭＧ１もまたリングファイルとなる。
【００２８】
圧縮画像信号のサイズは可変であり、図４（Ｂ）に示す画像ファイルＩＭ１においては、Ｎ＋１フレーム目の圧縮画像信号によって２フレーム目の圧縮画像信号の一部が上書きされる。このとき、管理情報ファイルＭＧ１に書き込まれた２フレーム目の画像管理情報は無効とされ、これによって画像ファイルＩＭ１に残存する２フレーム目の圧縮画像信号も無効とされる。
【００２９】
図４（Ｃ）および図５（Ａ）を参照して、２Ｎ−５フレーム目の圧縮画像信号が書き込まれた時点で画像ファイルＩＭ１が満杯となると、２Ｎ−４フレーム目の圧縮画像信号は画像ファイルＩＭ１の先頭から書き込まれる。このため、管理情報ファイルＭＧ１においても、２Ｎ−４フレーム目の画像管理情報は管理情報ファイルＭＧ１の先頭から書き込まれる。
【００３０】
図５（Ａ）によれば、Ｎ＋２フレーム目の画像管理情報は、２Ｎ−３フレーム目の画像管理情報の書き込みによって消失する。このため、画像ファイルＩＭ１に記録されたＮ＋２フレーム目の圧縮画像信号もまた、無効とされる。図５（Ｂ）においても同様に、２Ｎ−５フレーム目の画像管理情報は、３Ｎ−８フレーム目の画像管理情報によって上書きされる。したがって、３Ｎ−８フレーム目の圧縮画像信号の末尾よりも後に残存する圧縮画像信号は、無効とされる。
【００３１】
３Ｎ−８フレーム目の圧縮画像信号の書き込みによっても、画像ファイルＩＭ１は未だ満杯ではない。このため、図５（Ｃ）に示すように、３−９フレーム目以降の圧縮画像信号は、３Ｎ−８フレーム目の圧縮画像信号に続いて画像ファイルＩＭ１に書き込まれ、３−９フレーム目以降の画像管理情報は、３Ｎ−８フレーム目の画像管理情報に続いて管理情報ファイルＭＧ１に書き込まれる。
【００３２】
このように、管理情報ファイルＭＧ１のサイズは、サイズが固定の画像ファイルＩＭ１に記録された圧縮画像信号のフレーム数に応じて増減する。
【００３３】
通信端末１４は、図３に示すように構成される。電源が投入されると、ＣＰＵ１４ｄは、初期画面データを作成し、作成した初期画面データを表示Ｉ／Ｆ１４ｅを通してディスプレイ１４ｆに与える。ディスプレイ１４ｆには、図６（Ａ）に示す初期検索画面が表示される。図６（Ａ）によれば、ＷＥＢカメラ１の撮影画像を表示するための小窓ＳＣ１とＷＥＢカメラ２の撮影画像を表示するための小窓ＳＣ２とが、画面上方に形成される。また、画像ファイルＩＭ１またはＩＭ２に存在する先頭フレームの圧縮画像信号の撮影時刻を案内する時刻ガイドＧＳＴと、末尾フレームの圧縮画像信号の撮影時刻を案内する時刻ガイドＧＥＴと、所望の検索時刻の入力欄ＩＮＴと、再生ボタンＢ１，逆再生ボタンＢ２，スチル再生ボタンＢ３，コマ送りボタンＢ４および停止ボタンＢ５とが、画面下方に表示される。
【００３４】
図６（Ａ）から分かるように、初期検索画面では、時刻ガイドＧＳＴおよびＧＥＴに具体的な数値は表示されず、検索時刻の入力欄ＩＮＴも空欄とされる。また、時刻ガイドＧＳＴおよびＧＥＴならびに検索時刻のいずれも、秒単位までしか表示されない。なお、画像ファイルＩＭ１またはＩＭ２に存在する先頭フレームの圧縮画像信号の撮影時刻を“先頭時刻”と定義し、画像ファイルＩＭ１またはＩＭ２に存在する末尾フレームの圧縮画像信号の撮影時刻を“末尾時刻”と定義する。
【００３５】
初期検索画面が表示された状態で、図３に示すマウスポインタ１４ｉによって小窓ＳＣ１またはＳＣ２がクリックされると、対応する状態信号が入力Ｉ／Ｆ１４ｇからＣＰＵ１４ｄに与えられる。ＣＰＵ１４ｄは、クリックされた小窓に対応するカメラＩＤを含む時刻情報要求を、ＮＩＣ１４ａを通して画像蓄積サーバ１２に送出する。時刻情報要求は、図２に示すＮＩＣ１２ｅを通してＣＰＵ１２ｆに与えられる。ＣＰＵ１２ｆは、時刻情報要求に含まれるカメラＩＤに基づいて管理情報ファイルＭＧ１またはＭＧ２にアクセスし、現時点の先頭時刻および末尾時刻を検出する。検出された先頭時刻および末尾時刻はミリ秒単位まで表現された時刻であり、ＣＰＵ１２ｆは、かかる先頭時刻および末尾時刻を含む時刻情報をＮＩＣ１２ｅを通して要求元の端末装置１４に返送する。
【００３６】
なお、オペレータによるキー操作またはマウス操作が行われない限り、同じ時刻情報要求が端末装置１４から画像蓄積サーバ１２に繰り返し送出される。画像蓄積サーバ１２は、時刻検索要求が与えられる毎に時刻情報を端末装置１４に返送する。端末装置１４のＣＰＵ１４ｄは、返送された時刻情報に基づいて、秒単位まで表現された先頭時刻および末尾時刻をディスプレイ１４ｆに表示する。これによって、最新の先頭時刻および末尾時刻が、時刻ガイドＧＳＴおよびＧＥＴとして検索画面に表示される。図６（Ｂ）によれば、先頭時刻は２００２年０２月１８日１５時３０分４７秒であり、末尾時刻は２００２年０２月２０日０９時１２分５９秒である。
【００３７】
キーボード１４ｈによって所望の検索時刻が入力欄ＩＮＴに入力され、かつマウスポインタ１４ｉによって再生ボタンＢ１，逆再生ボタンＢ２またはスチルボタンＢ３がクリックされると、ＣＰＵ１４ｄは、画像検索要求をＮＩＣ１４ａを通して画像蓄積サーバ１２に送出する。この画像検索要求には、選択された小窓に対応するカメラＩＤと、入力された検索時刻と、“順方向再生”，“逆方向再生”および“スチル再生”のいずれか１つを示す再生モード情報とが含まれる。
【００３８】
再生ボタンＢ１がクリックされると再生モード情報は“順方向再生”を示し、逆再生ボタンＢ２がクリックされると再生モード情報は“逆方向再生”を示し、そしてスチルボタンＢ３がクリックされると再生モード情報は“スチル再生”を示す。また、入力された検索時刻が先頭時刻から末尾時刻までの範囲から外れるときは、画像検索要求の出力に代えてエラーメッセージが画面に表示される。
【００３９】
なお、図６（Ｂ）によれば、入力された検索時刻は２００２年０２月２０日０９時１２分５９秒であり、現時点の先頭時刻および末尾時刻の間に含まれる。したがって、当該検索時刻は受け付けられ、画像検索要求が画像蓄積サーバ１２に送出される。
【００４０】
送出された画像検索要求は、図２に示すＮＩＣ１２ｅを通してＣＰＵ１２ｆに与えられる。画像検索要求に含まれる再生モード情報が“順方向再生”を示すとき、ＣＰＵ１２ｆは、検索時刻以降に撮影された複数フレームの圧縮画像信号を画像ファイルＩＭ１またはＩＭ２から検出する。画像検索要求に含まれる再生モード情報が“逆方向再生”を示すとき、ＣＰＵ１２ｆは、検索時刻以前に撮影された複数フレームの圧縮画像信号を画像ファイルＩＭ１またはＩＭ２から検出する。画像検索要求に含まれる再生モード情報が“スチル再生”を示すとき、ＣＰＵ１２ｆは、検索時刻に直近の時刻に撮影された１フレームの圧縮画像信号を画像ファイルＩＭ１またはＩＭ２から検出する。ＣＰＵ１２ｆはまた、最新の先頭時刻および末尾時刻を管理情報ファイルＭＧ１またはＭＧ２から検出する。
【００４１】
画像ファイルＩＭ１またはＩＭ２から検出された圧縮画像信号、ならびに管理情報ファイルＭＧ１またはＭＧ２から検出された先頭時刻および末尾時刻は、ＮＩＣ１２ｅを通して要求元の端末装置１４に返送される。端末装置１４のＣＰＵ１４ｄは、返送された圧縮画像信号をＲＡＭ１４ｂを用いて伸長し、伸長画像を小窓ＳＣ１またはＳＣ２に表示する。ＣＰＵ１４ｄはまた、返送された先頭時刻および末尾時刻によって時刻ガイドＧＳＴおよびＧＥＴを更新する。
【００４２】
この結果、順方向再生が選択されたときは順方向に動く動画像が小窓ＳＣ１またはＳＣ２に表示され、逆方向再生が選択されたときは逆方向に動く動画像が小窓ＳＣ２に表示され、そしてスチル再生が選択されたときは静止画像が小窓ＳＣ１またはＳＣ２に表示される。なお、先頭時刻および末尾時刻の表示は、動画像の再生中も更新される。
【００４３】
スチル再生によって静止画像が表示されている状態でコマ送りボタンＢ４がクリックされると、ＣＰＵ１４ｄは、“コマ送り”の再生モード情報を含む画像検索要求を画像蓄積サーバ１２に送信する。画像蓄積サーバ１２のＣＰＵ１２ｆは、前回送出した圧縮画像信号に続く１フレームの圧縮画像信号を画像ファイルＩＭ１またはＩＭ２から検出し、現時点の先頭時刻および末尾時刻を管理情報ファイルＭＧ１またはＭＧ２から検出し、そして検出した圧縮画像信号，先頭時刻および末尾時刻を端末装置１４に返送する。この結果、小窓ＳＣ１またはＳＣ２に表示された静止画像が次フレームの静止画像に更新され、時刻ガイドＧＳＴおよびＧＥＴが最新の先頭時刻および末尾時刻に更新される。
【００４４】
また、順方向再生または逆方向再生が行われている途中で停止ボタンＢ５が押されると、ＣＰＵ１４ｄは、停止要求を画像蓄積サーバ１２に送信する。画像蓄積サーバ１２のＣＰＵ１２ｆは、圧縮画像信号の送出を停止する。
【００４５】
画像蓄積サーバ１２のＣＰＵ１２ｆは、図７〜図１１に示す画像記録タスクおよび図１２〜図１５に示す画像検索タスクを実行する。画像検索タスクは、複数の端末装置１４，１４，…に１つずつ割り当てられ、端末装置１４毎に個別に実行される。なお、画像記録タスクおよび画像検索タスクに対応する制御プログラムは、ＲＯＭ１２ｇに記憶される。
【００４６】
まず、画像記録タスクについて説明する。図７に示すステップＳ１では、変数ＩＰＯＳ１，ＩＰＯＳ２，ＬＯＯＰ１およびＬＯＯＰ２を“０”に設定し、変数ＩＭＡＸ１およびＩＭＡＸ２を上限値Ｖｍａｘに設定し、変数ＳＴ１，ＥＴ１，ＳＴ２およびＥＴ２を不定とする。
【００４７】
ここで、変数ＩＰＯＳ１は管理情報ファイルＭＧ１の書き込み開始アドレスを示す変数であり、変数ＩＰＯＳ２は管理情報ファイルＭＧ２の書き込み開始アドレスを示す変数である。変数ＬＯＯＰ１は画像ファイルＩＭ１および管理情報ファイルＭＧ１がリングファイルとなったかどうかを示す変数であり、変数ＬＯＯＰ２は画像ファイルＩＭ２および管理情報ファイルＭＧ２がリングファイルとなったかどうかを示す変数である。変数ＬＯＯＰ１およびＬＯＯＰ２のいずれも、“０”がリングファイルでないことを示し、“１”がリングファイルであることを示す。
【００４８】
変数ＩＭＡＸ１は画像ファイルＩＭ１の最大サイズを示し、変数ＩＭＡＸ２は画像ファイルＩＭ２の最大サイズを示す。変数ＳＴ１およびＥＴ１はそれぞれ、画像ファイルＩＭ１に存在する圧縮画像信号の先頭時刻および末尾時刻を示す。変数ＳＴ２およびＥＴ２はそれぞれ、画像ファイルＩＭ２に圧縮画像信号の先頭時刻および末尾時刻を示す。
【００４９】
ステップＳ３では、画像ファイルをＮＩＣ１２ａを通して受信したかどうかを判別する。ＹＥＳであればステップＳ５に進み、受信した画像ファイルに含まれるカメラＩＤに基づいて当該画像ファイルの送信元を判別する。そして、送信元がＷＥＢカメラＣ１であればステップＳ７〜Ｓ４５の処理を実行し、送信元がＷＥＢカメラＣ２であればステップＳ４７〜Ｓ８５の処理を実行する。
【００５０】
図８を参照して、ステップＳ７では受信した画像ファイルに含まれるヘッダ情報を参照して圧縮画像信号のサイズを検出し、続くステップＳ９では数１に示す条件が満たされるかどうかを判別する。
【００５１】
【数１】
ＩＰＯＳ１＋ＩＳＩＺＥ１＞ＩＭＡＸ１
数１の条件が満たされないときは、画像ファイルＩＭ１のアドレスＩＰＯＳ１以降に十分な空き容量が存在するとみなして、そのままステップＳ１３に進む。一方、数１の条件が満たされるときは、画像ファイルＩＭ１のアドレスＩＰＯＳ１以降の空き容量が不十分であるとみなして、ステップＳ１１で変数ＩＰＯＳ１およびＭＰＯＳ１を“０”に設定するとともに変数ＬＯＯＰ１を“１”に設定する。変数ＩＰＯＳ１およびＭＰＯＳ１が“０”に設定されることで、画像ファイルＩＭ１および管理情報ファイルＭＧ１がリングファイルとなる。また、変数ＬＯＯＰ１が“１”に設定されることで、画像ファイルＩＭ１および管理情報ファイルＭＧ１がリングファイルとなったことを認識できる。
【００５２】
ステップＳ１３では、変数ＬＯＯＰ１が“１”であるかどうか判別する。そして、ＮＯであればステップＳ１５に進み、ＹＥＳであればステップＳ２９に進む。したがって、リングファイルが形成されるまではステップＳ１５〜Ｓ２７の処理が実行され、リングファイルが形成された後はステップＳ２９〜Ｓ４５の処理が実行される。
【００５３】
ステップＳ１５では、受信した画像ファイルに含まれる圧縮画像信号を画像ファイルＩＭ１のアドレスＩＰＯＳ１以降に保存し、ステップＳ１７では、変数ＩＰＯＳ１に当該圧縮画像信号のサイズＩＳＩＺＥ１を加算する。ステップＳ１９では、ステップＳ１５で保存された圧縮画像信号の画像管理情報を作成し、作成した画像管理情報を管理情報ファイルＭＧ１のアドレスＭＰＯＳ１から始まる１ブロックに保存する。つまり、画像管理情報のサイズは固定であるため、当該サイズに相当する１ブロックに、画像管理情報を格納する。
【００５４】
ステップＳ２１では変数ＭＰＯＳ１が“０”であるかどうか判断し、ＮＯであればそのままステップＳ２５に進むが、ＹＥＳであればステップＳ２３の処理を経てステップＳ２５に進む。ステップＳ２３では、管理情報ファイルＭＧ１のアドレスＭＰＯＳ１から始まる１ブロック分の画像管理情報から撮影時刻を検出し、当該撮影時刻によって変数ＳＴ１を更新する。ステップＳ２５では、管理情報ファイルＭＧ１のアドレスＭＰＯＳ１から始まる１ブロックから撮影時刻を検出し、当該撮影時刻によって変数ＥＴ１を更新する。ステップＳ２１でＹＥＳと判断されるのは最初の１回だけであり、このときは同じ撮影時刻が変数ＳＴ１およびＥＴ１に設定される。ステップＳ２７では変数ＭＰＯＳ１に１ブロックに相当する数値を加算し、加算処理が完了するとステップＳ３に戻る。
【００５５】
ステップＳ３〜Ｓ２７の処理の繰り返しによって画像ファイルＩＭ１が満杯となった時点で、変数ＭＰＯＳ１およびＩＰＯＳ１は、図４（Ａ）に示す位置をポイントする。
【００５６】
図９を参照して、ステップＳ２９では画像ファイルＩＭ１上のアドレスＩＰＯＳ１以降に圧縮画像信号を上書きし、ステップＳ３１では変数ＩＰＯＳ１に当該圧縮画像信号のサイズＩＳＩＺＥ１を加算し、ステップＳ３３では管理情報ファイルＭＧ１上のアドレスＭＰＯＳ１以降に画像管理情報を上書きする。つまり、ステップＳ２９〜Ｓ３３では、上述のステップＳ１５〜Ｓ１９と同様の処理が実行される。
【００５７】
ステップＳ３５では、管理情報ファイルＭＧ１のアドレスＭＰＯＳ１から始まる１ブロックから撮影時刻を検出し、検出した撮影時刻によって変数ＥＴ１を更新する。変数ＥＴ１の更新が完了すると、ステップＳ３７で変数ＭＰＯＳ１に１ブロックに相当する数値を加算する。ステップＳ３９では、管理情報ファイルＭＧ１のアドレスＭＰＯＳ１から始まる１ブロックから撮影時刻を検出し、検出した撮影時刻によって変数ＳＴ１を更新する。つまり、ステップＳ３７で更新された変数ＭＰＯＳ１に従うアドレス以降の１ブロックには最古フレームの圧縮画像信号の撮影時刻が格納されているため、この撮影時刻によって変数ＳＴ１を更新する。
【００５８】
ステップＳ４１では同じ１ブロックから圧縮画像信号の書き込み開始アドレスを検出し、ステップＳ４３では検出された書き込み開始アドレスを変数ＩＰＯＳ１と比較する。ここで書き込み開始アドレスが変数ＩＰＯＳ１以上であれば、注目する画像管理情報に対応する圧縮画像信号は画像ファイルＩＭ１に完全に残っているとみなして、ステップＳ３に戻る。一方、書き込み開始アドレスが変数ＩＰＯＳ１よりも小さければ、注目する画像管理情報に対応する圧縮画像信号の少なくとも一部が上書きによって消失しているとみなして、ステップＳ４５で注目する画像管理情報を無効としてステップＳ３７に戻る。
【００５９】
ステップＳ４３でＹＥＳと判断されるのは、図４（Ｂ）に示すようにＮ＋１フレーム目の圧縮画像信号によって２フレーム目の圧縮画像信号が上書きされたときである。このとき、ステップＳ４５の処理によって２フレーム目の画像管理情報が無効とされる。
【００６０】
なお、図５（Ａ）または図５（Ｂ）では、アドレスＩＰＯＳ１以降の圧縮画像信号が無効とされるが、これは、対応する画像管理情報が後続の画像管理情報によって上書きされたことに起因する。
【００６１】
上述のように、送信元がＷＥＢカメラＣ２であればステップＳ４７〜Ｓ８５の処理が実行されるが、この処理は変数ＩＰＯＳ１，ＬＯＯＰ１，ＩＭＡＸ１，ＳＴ１およびＥＴ１に代えて変数ＩＰＯＳ２，ＬＯＯＰ２，ＩＭＡＸ２，ＳＴ２およびＥＴ２が用いられる点を除き、上述のステップＳ７〜Ｓ４５と同様であるため、重複した説明は省略する。
【００６２】
続いて、図１２〜図１５に示す画像検索タスクについて説明する。図１２のステップＳ９１ではＷＥＢカメラＣ１のカメラＩＤを含む時刻情報要求が端末装置１４から入力されたかどうかを判断し、ステップＳ９３ではＷＥＢカメラＣ２のカメラＩＤを含む時刻情報要求が端末装置１４から入力されたかどうかを判断する。ステップＳ９１でＹＥＳと判断されると、ステップＳ９５で変数ＳＴ１つまり先頭時刻と変数ＥＴ１つまり末尾時刻とを含む時刻情報を端末装置１４に送出する。ステップＳ９７ではＷＥＢカメラＣ１のカメラＩＤを含む画像検索要求が端末装置１４から入力されたかどうかを判断し、ＹＥＳであれば、当該画像検索要求に含まれる検索時刻をステップＳ９９で変数ＦＴ１に設定するとともに、当該画像検索要求に含まれる再生モード情報をステップＳ１０１およびＳ１１１で判別する。
【００６３】
再生モード情報が“スチル再生”または“コマ送り”であれば、ステップＳ１０１からステップＳ１０３に進み、変数ＦＴ１に基づいて１フレームの圧縮画像信号を特定する。つまり、変数ＦＴ１が示す時刻に直近の撮影時刻を管理情報ファイルＭＧ１から検出し、検出した撮影時刻に対応する圧縮画像信号を画像ファイルＩＭ１から検出する。ステップＳ１０５では、検出された圧縮画像信号に続く１フレームの画像管理情報を管理情報ファイルＭＧ１から特定し、特定した画像管理情報から撮影時刻を検出する。ステップＳ１０７では、検出された撮影時刻を変数ＰＴ１に設定する。続くステップＳ１０９では、ステップＳ１０３で検出された圧縮画像信号と、変数ＳＴ１，ＥＴ１およびＰＴ１つまり先頭時刻，末尾時刻および次フレームの撮影時刻とを端末装置１４に送出する。ステップＳ１０９の処理が完了すると、ステップＳ９１に戻る。
【００６４】
なお、再生モード情報が“コマ送り”である場合、ステップＳ１０３では変数ＦＴ１が示す時刻に撮影された被写体の圧縮画像信号が画像ファイルＩＭ１から検出される。
【００６５】
再生モード情報が“順方向再生”であれば、ステップＳ１１１でＹＥＳと判断し、ステップＳ１１３で変数ＦＴ１に基づいて１フレームの圧縮画像信号を特定する。具体的には、変数ＦＴ１が示す時刻以降で当該時刻に直近の撮影時刻を管理情報ファイルＭＧ１から検出し、検出した撮影時刻に対応する圧縮画像信号を画像ファイルＩＭ１から検出する。ステップＳ１１５では、検出された圧縮画像信号の次のフレームに対応する画像管理情報を管理情報ファイルＭＧ１から特定し、特定した画像管理情報から撮影時刻を検出する。ステップＳ１１７では、検出された撮影時刻を変数ＰＴ１に設定する。続くステップＳ１１９では、ステップＳ１１３で検出された圧縮画像信号と変数ＳＴ１，ＥＴ１およびＰＴ１とを端末装置１４に送出する。
【００６６】
送出が完了すると、ステップＳ１２１で変数ＰＴ１を変数ＦＴ１に設定し、ステップＳ１２３で変数ＦＴ１を変数ＥＴ１と比較する。ここでＦＴ１＞ＥＴ１であれば、次フレームの撮影時刻は末尾時刻よりも遅い時刻であるとなし、ステップＳ９１に戻る。一方、ＦＴ１≦ＥＴ１であれば、次フレームの撮影時刻は末尾時刻以前であるとみなし、ステップＳ１３７に進む。ステップＳ１３７では端末装置１４から停止要求を受信したかどうか判断し、ＮＯであればステップＳ１１１に戻るが、ＹＥＳであればステップＳ９１に戻る。したがって、次フレームの撮影時刻が末尾時刻以前であれば、停止要求を受信しない限り、順方向に連続する各フレームの圧縮画像信号が時刻情報ＳＴ１，ＥＴ１およびＰＴ１とともに端末装置１４に送出される。
【００６７】
再生モード情報が“逆方向再生”であれば、ステップＳ１１１でＮＯと判断し、ステップＳ１２５で変数ＦＴ１に基づいて１フレームの圧縮画像信号を特定する。つまり、変数ＦＴ１が示す時刻以前で当該時刻に直近の撮影時刻を管理情報ファイルＭＧ１から検出し、検出した撮影時刻に対応する圧縮画像信号を画像ファイルＩＭ１から検出する。ステップＳ１２７では、検出された圧縮画像信号の前のフレームに対応する画像管理情報を管理情報ファイルＭＧ１から特定し、特定した画像管理情報から撮影時刻を検出する。ステップＳ１２９では、検出された撮影時刻を変数ＰＴ１に設定する。続くステップＳ１３１では、ステップＳ１２５で検出された圧縮画像信号と変数ＳＴ１，ＥＴ１およびＰＴ１とを端末装置１４に送出する。
【００６８】
ステップＳ１３１の処理が完了すると、ステップＳ１３３で変数ＰＴ１を変数ＦＴ１に設定し、ステップＳ１３５で変数ＦＴ１を変数ＳＴ１と比較する。そして、ＦＴ１＜ＳＴ１であれば、前フレームの撮影時刻は先頭時刻よりも早い時刻であるとなし、ステップＳ９１に戻る。これに対して、ＦＴ１≧ＳＴ１であれば、次フレームの撮影時刻は先頭時刻以降であるとみなし、ステップＳ１３７に進む。ステップＳ１３７では端末装置１４から停止要求を受信したかどうか判断し、ＮＯであればステップＳ１１１に戻るが、ＹＥＳであればステップＳ９１に戻る。したがって、前フレームの撮影時刻が先頭時刻以降であれば、停止要求を受信しない限り、逆方向に連続する各フレームの圧縮画像信号が時刻情報ＳＴ１，ＥＴ１およびＰＴ１とともに端末装置１４に送出される。
【００６９】
なお、ステップＳ１２１で変数ＰＴ１を変数ＦＴ１に設定した後にステップＳ１１３を実行する場合、変数ＦＴ１が示す時刻に撮影された被写体の圧縮画像信号が画像ファイルＩＭ１から検出される。ステップＳ１３３で変数ＰＴ１を変数ＦＴ１に設定した後にステップＳ１２５を実行する場合も、変数ＦＴ１が示す時刻に撮影された被写体の圧縮画像信号が画像ファイルＩＭ１から検出される。
【００７０】
図１２に示すステップＳ９３でＹＥＳと判断されたときは、図１４および図１５に示すステップＳ１３９〜Ｓ１８１の処理が実行される。ただし、この処理は、変数ＦＴ１，ＰＴ１，ＳＴ１およびＥＴ１に代えて変数ＦＴ２，ＰＴ２，ＳＴ２およびＥＴ２が用いられる点を除き、上述のステップＳ９９〜Ｓ１３７と同様であるため、重複した説明は省略する。
【００７１】
端末装置１４のＣＰＵ１４ｄは、図１６〜図１９に示すフロー図に従う処理を実行する。なお、このフロー図に対応する制御プログラムは、ＲＯＭ１４ｃに記憶される。まず図１６のステップＳ２０１で図６（Ａ）に示す初期検索画面をディスプレイ１４ｆに表示する。ステップＳ２０３ではカメラ選択操作の有無を判別し、カメラ選択操作が行われたときは、ＷＥＢカメラＣ１およびＣ２のいずれが選択されたかをステップＳ２０５およびＳ２０７で判別する。
【００７２】
ＷＥＢカメラＣ１が選択されたときはステップＳ２０５からステップＳ２０９に進み、ＷＥＢカメラＣ１のカメラＩＤを含む時刻情報要求を画像蓄積サーバ１２に送出する。これに対して画像蓄積サーバ１２から時刻情報ＳＴ１およびＥＴ１が返送されると、ステップＳ２１１からステップＳ２１３に進み、時刻情報ＳＴ１に従う先頭時刻および時刻情報ＥＴ１に従う末尾時刻を図６（Ｂ）に示す時刻ガイドＧＳＴおよびＧＥＴとしてディスプレイ１４ｆに表示する。
【００７３】
ステップＳ２１５ではカメラ選択操作の有無を判別し、ステップＳ２１７では画像検索操作の有無を判別する。カメラ選択操作が行われたときはステップＳ２１５からステップＳ２０５に戻り、画像検索操作が行われたときはステップＳ２１７からステップＳ２１９に進む。カメラ選択操作および画像検索操作のいずれも行われなかったときは、ステップＳ２１７からステップＳ２０９に戻る。したがって、ステップＳ２１７でＮＯと判断される限り、時刻情報要求が画像蓄積サーバ１２に繰り返し送出され、時刻情報ＳＴ１およびＥＴ１を受信する毎に時刻ガイドＧＳＴおよびＥＳＴが更新される。
【００７４】
なお、マウスポインタ１４ｉによって表示画面ＳＣ１およびＳＣ２の一方をクリックする操作が、カメラ選択操作に相当する。また、検索時刻の入力欄ＩＮＴにキーボード１４ｈによって任意の時刻を入力し、かつ再生ボタンＢ１，逆再生ボタンＢ２，スチルボタンＢ３のいずれか１つをクリックする操作、あるいはスチルボタンＢ３の操作の後にコマ送りボタンＢ４をクリックする操作が、画像検索操作に相当する。
【００７５】
ステップＳ２１９ではキーボード１４ｈによって入力された時刻を変数ＦＴ１に設定し、続くステップＳ２２１ではＳＴ１≦ＦＴ１≦ＥＴ１の条件が満たされるかどうか判断する。入力時刻が先頭時刻以降でかつ末尾時刻以前であれば、ステップＳ２２１でＹＥＳと判断し、ステップＳ２２３以降の処理に進む。一方、入力時刻が先頭時刻よりも早い時刻あるいは末尾時刻よりも遅い時刻であれば、ステップＳ２３９におけるエラーメッセージの表示処理を経てステップＳ２０９に戻る。なお、画像検索操作がコマ送り操作である場合、変数ＦＴ１は後述するステップＳ２２７で更新済みであるため、ステップＳ２１９の処理は省略される。
【００７６】
ステップＳ２２３では、ＷＥＢカメラＣ１のカメラＩＤと、変数ＦＴ１に従う検索時刻と、“順方向再生”，“逆方向再生”，“スチル再生”および“コマ送り”のいずれか１つを示す再生モード情報とを含む画像検索要求を画像検索サーバ１２に送出する。
【００７７】
ステップＳ２２５では、画像蓄積サーバ１２から圧縮画像信号と時刻情報ＳＴ１，ＥＴ１およびＰＴ１とを受信したかどうか判断する。ここでＹＥＳであれば、ステップＳ２２７で変数ＰＴ１を変数ＦＴ１に設定し、ステップＳ２２９で時刻情報ＳＴ１およびＥＴ１に従って時刻ガイドＧＳＴおよびＧＥＴを更新し、そして圧縮画像信号に基づいて小窓ＳＣ１の表示を更新する。
【００７８】
ステップＳ２３３では再生停止操作の有無つまり停止ボタンＢ５のクロックの有無を判別し、ＹＥＳであればステップＳ２３７で停止要求を画像蓄積サーバ１２に送信してからステップＳ２０３に戻る。再生停止操作がなければ、ステップＳ２３５で現在の再生モードを判別する。そして、再生モードがスチル再生（コマ送り含む）であればステップＳ２０９に戻るが、再生モードが順方向再生または逆方向再生であれば、ステップＳ２２３に戻る。したがって、順方向再生または逆方向再生が選択されたときは、画像検索要求が繰り返し送出され、これに応答して受信された連続する圧縮画像信号に基づく動画像が小窓ＳＣ１に表示される。
【００７９】
なお、ステップＳ２０７でＹＥＳと判断されたときは、ステップＳ２４１〜Ｓ２６９の処理を実行するが、この処理は、変数ＳＴ１，ＥＴ１，ＦＴ１およびＰＴ１に代えて変数ＳＴ２，ＥＴ２，ＦＴ２およびＰＴ２が用いられる点を除き、上述のステップＳ２０９〜Ｓ２３９と同様であるため、重複した説明は省略する。
【００８０】
以上の説明から分かるように、画像蓄積サーバ１２に設けられたＨＤＤ１２ｂは、ＷＥＢカメラＣ１またはＣ２から送信された複数フレームの圧縮画像信号つまり動画像信号を画像ファイルＩＭ１またはＩＭ２に循環的に記録する。端末装置１４から時刻情報要求を受信すると、ＣＰＵ１２ｆは、画像ファイルＩＭ１またはＩＭ２に存在する圧縮画像信号の先頭時刻および末尾時刻を検出し、検出した先頭時刻および末尾時刻を端末装置１４に返送する。端末装置１４のディスプレイ１４ｆには、返送された先頭時刻および末尾時刻が表示される。
【００８１】
また、先頭時刻および末尾時刻によって挟まれる検索時刻を含む画像検索要求を端末装置１４から受信すると、ＣＰＵ１２ｆは、検索時刻に関連する圧縮画像信号を画像ファイルＩＭ１またはＩＭ２から検出し、検出した圧縮画像信号を端末装置１４に返送する。端末装置１４のディスプレイ１４ｆには、返送された圧縮画像信号に基づく画像が表示される。
【００８２】
先頭時刻および末尾時刻を端末装置１４に出力することで、端末装置１４のオペレータは、検索できる画像の時間帯を容易に把握することができ、検索時の操作性が向上する。
【００８３】
ＣＰＵ１２ｆは、画像記録タスクおよび画像検索タスクを同時に実行するため、端末装置１４からの時刻情報要求の受付は圧縮画像信号の記録動作と並行して行われ、先頭時刻および末尾時刻は圧縮画像信号の記録動作と並行して検出される。また、先頭時刻および末尾時刻の検出は、複数の圧縮画像信号を連続して再生するときも行われる。このため、端末装置１４のディスプレイ１４ｆには、常に最新の先頭時刻および末尾時刻が表示される。
【００８４】
上述のように、圧縮画像信号は、画像ファイルＩＭ１またはＩＭ２に循環的に記録されるが、圧縮画像信号を管理する画像管理情報は、管理情報ファイルＭＧ１またはＭＧ２に循環的に記録される。ＣＰＵ１２ｆは、画像ファイルＩＭ１またはＩＭ２に存在する最古フレームの圧縮画像信号の画像管理情報を管理情報ファイルＭＧ１またはＭＧ２から特定し、特定した画像管理情報に含まれる撮影時刻を先頭時刻として検出する。
【００８５】
循環的記録によって少なくとも一部が消失した圧縮画像信号の画像管理情報が管理情報ファイルＭＧ１またはＭＧ２に存在するときは、この画像管理情報が無効とされる。この場合、最古フレームの圧縮画像信号は、有効な最古の画像管理情報に対応する圧縮画像信号となる。
【００８６】
これによって、各々の圧縮画像信号のサイズが可変であるために、画像ファイルＩＭ１またはＩＭ２に存在する圧縮画像信号と管理情報ファイルＭＧ１またはＭＧ２に存在する画像管理情報との対応関係が崩れたときでも、出力される先頭時刻に誤りが生じることはない。
【００８７】
なお、この実施例では、検索画面を端末装置に表示するようにしているが、端末装置に代えてあるいは端末装置とともに画像蓄積サーバに表示するようにしてもよい。また、この実施例では、ＷＥＢカメラと画像蓄積サーバとをインターネットを介して接続し、画像蓄積サーバと端末装置とをイントラネットを介して接続するようにしているが、ＷＥＢカメラおよび画像蓄積サーバはイントラネットを介して接続してもよく、画像蓄積サーバおよび端末装置もインターネットを介して接続してもよい。
【図面の簡単な説明】
【図１】この発明の一実施例を示すブロック図である。
【図２】画像蓄積サーバの構成の一例を示すブロック図である。
【図３】端末装置の構成の一例を示すブロック図である。
【図４】（Ａ）は管理情報ファイルおよび画像ファイルの記録状態の一例を示す図解図であり、（Ｂ）は管理情報ファイルおよび画像ファイルの記録状態の他の一例を示す図解図であり、（Ｃ）は管理情報ファイルおよび画像ファイルの記録状態のその他の一例を示す図解図である。
【図５】（Ａ）は管理情報ファイルおよび画像ファイルの記録状態の一例を示す図解図であり、（Ｂ）は管理情報ファイルおよび画像ファイルの記録状態の他の一例を示す図解図であり、（Ｃ）は管理情報ファイルおよび画像ファイルの記録状態のその他の一例を示す図解図である。
【図６】（Ａ）は端末装置の表示される監視画面の一例を示す図解図であり、（Ｂ）は端末装置に表示される監視画面の他の一例を示す図解図である。
【図７】画像蓄積サーバの動作の一部を示すフロー図である。
【図８】画像蓄積サーバの動作の他の一部を示すフロー図である。
【図９】画像蓄積サーバの動作のその他の一部を示すフロー図である。
【図１０】画像蓄積サーバの動作のさらにその他の一部を示すフロー図である。
【図１１】画像蓄積サーバの動作の他の一部を示すフロー図である。
【図１２】画像蓄積サーバの動作のその他の一部を示すフロー図である。
【図１３】画像蓄積サーバの動作のさらにその他の一部を示すフロー図である。
【図１４】画像蓄積サーバの動作の他の一部を示すフロー図である。
【図１５】画像蓄積サーバの動作のその他の一部を示すフロー図である。
【図１６】端末装置の動作の一部を示すフロー図である。
【図１７】端末装置の動作の他の一部を示すフロー図である。
【図１８】端末装置の動作のその他の一部を示すフロー図である。
【図１９】端末装置の動作の他の一部を示すフロー図である。
【符号の説明】
１０…監視カメラシステム
１２…画像蓄積サーバ
１４…端末装置
１６…インターネット
１８…イントラネット
【図１】
2004088284.tif 000003
【図２】
2004088284.tif 000004
【図３】
2004088284.tif 000005
【図４】
2004088284.tif 000006
【図５】
2004088284.tif 000007
【図６】
2004088284.tif 000008
【図７】
2004088284.tif 000009
【図８】
2004088284.tif 000010
【図９】
2004088284.tif 000011
【図１０】
2004088284.tif 000012
【図１１】
2004088284.tif 000013
【図１２】
2004088284.tif 000014
【図１３】
2004088284.tif 000015
【図１４】
2004088284.tif 000016
【図１５】
2004088284.tif 000017
【図１６】
2004088284.tif 000018
【図１７】
2004088284.tif 000019
【図１８】
2004088284.tif 000020
【図１９】
2004088284.tif 000021